(57)【要約】【課題】電池の消耗を抑えながら、所望の情報を取得することができる情報検索システムを提供する。【解決手段】情報提供装置と電池により駆動される情報検索端末装置と、を備えた情報検索システムにおいて、情報提供装置は、情報検索端末装置より受信したキーワードに対応する参照情報を検索し、情報検索端末装置に送信し、情報検索端末装置は、情報提供装置より受信した参照情報を保存する保存部と、キーワードを入力するキーワード入力部と、入力されたキーワードに対応する参照情報を検索する参照情報検索部と、検索された参照情報を表示する表示部と、を有し、参照情報検索部は、入力されたキーワードに対応する参照情報が保存部より検出された場合、参照情報を保存部より取得し表示部に表示させ、該参照情報が検出されなかった場合、キーワードを情報提供装置に送信し、参照情報を情報提供装置より取得し保存部に保存するとともに表示部に表示させる。【選択図】図３
2009059266.tif 000002
【特許請求の範囲】
【請求項１】
情報提供装置と電池により駆動される情報検索端末装置と、を備えた情報検索システムにおいて、
前記情報提供装置は、
前記情報検索端末装置より受信したキーワードに対応する参照情報を検索し、検索した参照情報を前記情報検索端末装置に送信し、
前記情報検索端末装置は、
少なくとも前記情報提供装置より受信した前記参照情報を保存する保存部と、
前記キーワードを入力するキーワード入力部と、
入力されたキーワードに対応する参照情報を検索する参照情報検索部と、
検索された参照情報に基づきその内容を表示する表示部と、を有し、
前記参照情報検索部は、
入力されたキーワードに対応する参照情報を前記保存部より検索し、
該参照情報が検出された場合、
前記参照情報を前記保存部より取得し、前記表示部に表示させ、
該参照情報が検出されなかった場合、
前記キーワードを前記情報提供装置に送信し、前記情報提供装置で検索された前記キーワードに対応する参照情報を前記情報提供装置より取得し、前記保存部に保存するとともに前記表示部に表示させることを特徴とする情報検索システム。
【請求項２】
前記保存部は、前記情報提供装置より受信した前記参照情報およびその検索時期を含む検索履歴情報を保存するものであって、
前記参照情報検索部は、
入力されたキーワードに対応する参照情報が前記保存部より検出された場合、
前記参照情報の検索履歴情報より、
前記参照情報の初回の検索日から今回の検索日までの期間が所定の期間を下回る時、
前記検索履歴情報を更新するとともに前記参照情報を前記保存部より取得し、
前記参照情報の初回の検索日から今回の検索日までの期間が前記所定の期間を上回る時、
前記参照情報および前記検索履歴情報を削除するとともに前記キーワードを前記情報提供装置に送信し、前記情報提供装置で検索された前記キーワードに対応する参照情報を前記情報提供装置より取得することを特徴とする請求項１に記載の情報検索システム。
【請求項３】
前記キーワード入力部は、前記表示部に表示される文字情報を有する画像上で、前記キーワードを選択して入力するものであって、
前記参照情報検索部は、
入力されたキーワードに対応する参照情報が前記保存部より検出された場合、
前記表示部に表示される前記キーワードの表示形態または表示色を変更することを特徴とする請求項１または２に記載の情報検索システム。
【請求項４】
前記表示部は、表示内容を無電源で保持可能な媒体を有し、
前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする請求項１乃至３のいずれか１項に記載の情報検索システム。
【請求項５】
前記情報提供装置と前記情報検索端末装置との間の通信手段は、
すくなくともＢｌｕｅｔｏｏｔｈ、ワイヤレスＵＳＢ、赤外線通信のいずれかであることを特徴とする請求項１乃至４のいずれか１項に記載の記載の情報検索システム。
【発明の詳細な説明】
【技術分野】
【０００１】
本発明は、情報検索システムに関し、特に情報検索端末装置からの要求に応じて、情報提供装置が情報を検索し、提供する情報検索システムに関する。
【背景技術】
【０００２】
従来、情報検索端末装置からの要求に応じて、情報提供装置が情報を検索し、提供する情報検索システムが知られている（例えば、特許文献１参照）。
【特許文献１】特開平１１−２９６５３７号公報
【発明の開示】
【発明が解決しようとする課題】
【０００３】
ところで、近年、インターネットの普及に伴い、小型、軽量で容易に持ち運びができ、内蔵電池により長時間駆動が可能な利便性の優れた情報検索端末装置が求められている。
【０００４】
しかしながら、特許文献１に開示されている情報検索システムは、情報検索を行う度に、情報検索端末装置と情報提供装置間で通信を行い、情報提供装置で検索され送信された情報を情報検索端末装置が受信するような構成としている。すなわち、電力消費の大きい装置間の通信を情報検索の都度頻繁に行うことにより、情報検索端末装置を駆動する電池の消耗が早まり、使用可能な時間に大きく影響を及ぼすといった問題がある。
【０００５】
また、情報検索端末装置の表示部に、表示内容を無電源で保持する機能（メモリ性）を有した表示媒体を用いた所謂電子ペーパー等を用いることが検討されている。メモリ性を有する表示媒体は、情報の書換え時のみにしか電力を必要としないという利点を有するものの、前述の電力消費の大きい装置間の通信を頻繁に行うことにより、電子ペーパを用いることによる利点を生かせないといった問題がある。
【０００６】
本発明は、上記課題を鑑みてなされたもので、情報提供装置と電池駆動の情報検索端末装置とを備えた情報検索システムにおいて、電池の消耗を抑えながら、所望の情報を取得することができる情報検索システムを提供することを目的とする。
【課題を解決するための手段】
【０００７】
上記目的は、下記の１乃至５のいずれか１項に記載の発明によって達成される。
【０００８】
１．情報提供装置と電池により駆動される情報検索端末装置と、を備えた情報検索システムにおいて、
前記情報提供装置は、
前記情報検索端末装置より受信したキーワードに対応する参照情報を検索し、検索した参照情報を前記情報検索端末装置に送信し、
前記情報検索端末装置は、
少なくとも前記情報提供装置より受信した前記参照情報を保存する保存部と、
前記キーワードを入力するキーワード入力部と、
入力されたキーワードに対応する参照情報を検索する参照情報検索部と、
検索された参照情報に基づきその内容を表示する表示部と、を有し、
前記参照情報検索部は、
入力されたキーワードに対応する参照情報を前記保存部より検索し、
該参照情報が検出された場合、
前記参照情報を前記保存部より取得し、前記表示部に表示させ、
該参照情報が検出されなかった場合、
前記キーワードを前記情報提供装置に送信し、前記情報提供装置で検索された前記キーワードに対応する参照情報を前記情報提供装置より取得し、前記保存部に保存するとともに前記表示部に表示させることを特徴とする情報検索システム。
【０００９】
２．前記保存部は、前記情報提供装置より受信した前記参照情報およびその検索時期を含む検索履歴情報を保存するものであって、
前記参照情報検索部は、
入力されたキーワードに対応する参照情報が前記保存部より検出された場合、
前記参照情報の検索履歴情報より、
前記参照情報の初回の検索日から今回の検索日までの期間が所定の期間を下回る時、
前記検索履歴情報を更新するとともに前記参照情報を前記保存部より取得し、
前記参照情報の初回の検索日から今回の検索日までの期間が前記所定の期間を上回る時、
前記参照情報および前記検索履歴情報を削除するとともに前記キーワードを前記情報提供装置に送信し、前記情報提供装置で検索された前記キーワードに対応する参照情報を前記情報提供装置より取得することを特徴とする前記１に記載の情報検索システム。
【００１０】
３．前記キーワード入力部は、前記表示部に表示される文字情報を有する画像上で、前記キーワードを選択して入力するものであって、
前記参照情報検索部は、
入力されたキーワードに対応する参照情報が前記保存部より検出された場合、
前記表示部に表示される前記キーワードの表示形態または表示色を変更することを特徴とする前記１または２に記載の情報検索システム。
【００１１】
４．前記表示部は、表示内容を無電源で保持可能な媒体を有し、
前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする前記１乃至３のいずれか１項に記載の情報検索システム。
【００１２】
５．前記情報提供装置と前記情報検索端末装置との間の通信手段は、
すくなくともＢｌｕｅｔｏｏｔｈ、ワイヤレスＵＳＢ、赤外線通信のいずれかであることを特徴とする前記１乃至４のいずれか１項に記載の記載の情報検索システム。
【発明の効果】
【００１３】
本発明によれば、入力されたキーワードに対応する参照情報が保存部に保存されている場合、参照情報検索部は、該参照情報を保存部より取得し、表示部に表示させる。一方、該参照情報が保存部に保存されていない場合、参照情報検索部は、キーワードを情報提供装置に送信し、情報提供装置で検索されたキーワードに対応する参照情報を情報提供装置より取得し、保存部に保存するとともに表示部に表示させる構成とした。
【００１４】
すなわち、情報検索端末装置は、キーワード検索を実行する都度、情報提供装置との間で通信を行い、いつも情報提供装置より参照情報を取得するのではなく、参照情報が一度検索され保存部に保存されている場合は、保存部より該参照情報を取得するようにした。
【００１５】
これにより、電力消費の大きい装置間の通信をキーワード検索の都度頻繁に行うことなく、所望の情報を取得することができる。その結果、情報検索端末装置を駆動する電池の消耗を抑え、長時間の使用が可能となる。
【発明を実施するための最良の形態】
【００１６】
以下図面に基づいて、本発明に係る情報検索システムの実施の形態を説明する。尚、本発明を図示の実施の形態に基づいて説明するが、本発明は該実施の形態に限られない。
【００１７】
最初に、情報検索システムの構成を図１を用いて説明する。図１は、本発明の実施形態に係る情報検索システム１の概略構成を示す外観模式図である。
【００１８】
情報検索システム１は、図１に示すように、キーボード２０１、モニタ２０２、コンピュータ本体２０３、通信部２０４等を有する情報提供装置２、及び表示部３０１、通信部３１４、電源スイッチ３１８、各種操作・設定を行う十字キー３１９等を有する情報検索端末装置３等から構成される。通信部２０４、３１４は、通常、無線ＬＡＮと称される無線通信デバイスで構成される。
【００１９】
情報検索端末装置３の表示部３０１に表示される情報を閲覧中に、情報を参照したいキーワードがあった場合、該キーワードを選択して入力すると、情報検索端末装置３は、入力されたキーワードに対応する参照情報を検索し、内部に設けられた後述の保存部３１３、または情報提供装置２より取得する。そして取得した参照情報を表示部３０１に表示する。
【００２０】
図２に参照情報の表示例を示す。図２（ａ）は、表示部３０１に表示されている閲覧中の文書画像を示す模式図、図２（ｂ）は、選択されたキーワードＫに対応する参照情報Ｍの表示例を示す模式図である。
【００２１】
図２（ａ）に示す文書画像中、例えば、「コレステリック液晶」をキーワードＫとして、表示部３０１の前面に設けられた後述のタッチパネル３０４を用いて選択して入力すると、図２（ｂ）に示すように、キーワードＫ（「コレステリック液晶」）に対応する参照情報Ｍである「螺旋構造を有する液晶材料である。」が検索され、キーワードＫ（「コレステリック液晶」）の近傍に表示される。また、選択されたキーワードＫ（「コレステリック液晶」）は、例えば、白黒反転させて表示させる。
【００２２】
図３に情報検索システム１の要部機能構成を示す。情報提供装置２は、通信部２０４、参照情報検索部２１１、参照情報加工部２１２等から構成される。情報検索端末装置３は、通信部３１４、キーワード入力部３０４、参照情報検索部３１１、保存部３１３、表示部３０１等から構成される。
【００２３】
情報提供装置２の参照情報検索部２１１は、情報検索端末装置３から通信部２０４を介して受信したキーワードに基づいて、該キーワードに対応する参照情報を図示しない外部の情報検索サーバより取得する。
【００２４】
参照情報加工部２１２は、参照情報検索部２１１で取得された参照情報より必要な情報のみを取出し、情報検索端末装置３の表示部３０１の表示サイズに合わせて加工する。
【００２５】
参照情報加工部２１２で加工された参照情報は、通信部２０４を介して、情報検索端末装置３に送信される。
【００２６】
情報検索端末装置３の保存部３１３は、情報提供装置２から通信部３１４を介して受信した参照情報とともに参照情報が検索された日時を含む検索履歴情報を保存する。
【００２７】
キーワード入力部３０４は、キーワードを選択し入力する。
【００２８】
参照情報検索部３１１は、キーワード入力部３０４で入力されたキーワードに基づいて、該キーワードに対応する参照情報を保存部３１３より、またはキーワードを通信部３１４を介して情報提供装置２に送信することで、情報提供装置２より取得する。
【００２９】
表示部３０１は、参照情報検索部３１１で取得された参照情報に基づいてその内容を表示する。
【００３０】
尚、情報検索システム１で行われる参照情報の検索動作の詳細は後述する。
【００３１】
図４に情報検索端末装置３の電気回路ブロック構成図を示す。
【００３２】
図４に示す様に、情報検索端末装置３は、表示部３０１、表示制御部３０２、ＶＲＡＭ３０３、タッチパネル３０４、タッチパネル監視部３０５、ＣＰＵ３１１、ＦｌａｓｈＲＯＭ３１２、ＳＤＲＡＭ３１３、通信部３１４、外部Ｉ／Ｆ３１５、操作部３１７、及び電池３２１等を有する。
【００３３】
表示部３０１は、例えば、特開平１０−３２４１５５号公報に記載されている強誘電性液晶から構成される表示装置の様に、表示内容を無電源で保持する機能（メモリ性）を有した所謂電子ペーパと称される表示媒体であり、文書データや参照情報等に基づいてその内容を表示する。
【００３４】
電子ペーパは、情報を電気的に書換えることができ、情報の書換え時のみ電力を消費する一方、書換えが終了した後には電力を消費することなく情報を表示させておくことが可能であり、消費電力を抑制することができる。
【００３５】
この様なメモリ性を有する表示媒体としては、前述の強誘電性液晶表示素子の他、例えば、反強誘電性液晶素子、強誘電性高分子液晶表示素子、室温でコレステリック液晶相を示すカイラルネマチック液晶等を用いたコレステリック液晶表示素子、エレクトロクロミック表示素子、電気泳動セルを用いた表示素子、乾式粉体を基板内に封入し電界で移動させて表示を行う粒子移動型表示素子、銀の析出と溶解により表示を行う表示素子、ツイストボールを用いた表示素子等を利用して構成することも可能である。
【００３６】
表示制御部３０２は、表示部３０１で行われる表示動作を制御する。
【００３７】
ＶＲＡＭ（Ｖｉｄｅｏ  ＲＡＭ）３０３は、表示部３０１の画素数に対応した画像データの記録容量を有し、表示部３０１に再生表示される画像を構成する画像データのバッファメモリである。
【００３８】
タッチパネル３０４は、本発明におけるキーワード入力部に該当し、表示部３０１の前面に設けられたタッチパネルセンサである。
【００３９】
タッチパネル監視部３０５は、情報検索端末装置３が電力を殆ど消費しないスリープ状態においてもタッチパネル３０４からの入力の有無を監視することができる。
【００４０】
ＣＰＵ（中央演算処理装置）３１１は、タッチパネル３０４や操作部３１７からの信号を受けて、表示動作や画像信号処理、及び情報提供装置２との間で行われる情報の送受信動作を統括的に制御する。また、ＣＰＵ（中央演算処理装置）３１１は、本発明における参照情報検索部に該当し、タッチパネル３０４で入力されたキーワードに基づいて、該キーワードに対応する参照情報を検索し、後述の本発明の保存部に該当するＳＤＲＡＭ３１３、またはキーワードを通信部３１４を介して情報提供装置２に送信することで情報提供装置２より取得する。そして取得した参照情報を表示部３０１に表示させる。
【００４１】
ＦｌａｓｈＲＯＭ（Ｆｌａｓｈ＿Ｒｅａｄ  Ｏｎｌｙ  Ｍｅｍｏｒｙ）３１２は、ＣＰＵ３１１で実行される各種制御プログラム等を記憶する。
【００４２】
ＳＤＲＡＭ（Ｓｙｎｃｈｒｏｎｏｕｓ＿Ｄｙｎａｍｉｃ  Ｒａｎｄａｍ  Ａｃｃｅｓｓ  Ｍｅｍｏｒｙ）３１３は、演算処理や制御処理等の作業データを一時的に格納する。また、ＳＤＲＡＭ３１３は、本発明の保存部に該当し、情報提供装置２から通信部３１４を介して受信した参照情報とともに参照情報が検索された日時を含む検索履歴情報を保存する。
【００４３】
通信部３１４は、情報提供装置２との間でキーワードや参照情報等の情報を無線で送受信する。通信部３１４の無線通信手段としては、ＢｌｕｅｔｏｏｔｈやワイヤレスＵＳＢ、また、赤外線等を用いた低消費電力型のデバイスが好適である。
【００４４】
外部Ｉ／Ｆ３１５は、例えば、ＳＤメモリカード等の外部メモリとのインターフェースである。
【００４５】
操作部３１７は、電源スイッチ３１８や各種操作・設定を行う十字キー３１９等を備えたスイッチ群である。
【００４６】
電池３２１は、情報検索端末装置３の駆動用電源である。
【００４７】
尚、図４中、破線で示す矢印は、ＣＰＵ３１１がスリープ状態の時に、タッチパネル３０４によりタッチパネル監視部、または操作部３１７を介して起こされる制御経路を示す。
【００４８】
ここで、この様な構成の情報検索システム１で行われる参照情報の検索動作の流れを図６、及び前述の図３、図４を用いて説明する。図６は、参照情報の検索動作の流れを示すフローチャートである。尚、図６中、記号Ｈ、Ｔはそれぞれ情報提供装置２、情報検索端末装置３を示す。
【００４９】
最初に、情報検索端末装置３の表示部３０１に表示されている情報を閲覧中に、情報を参照したいキーワードがあった場合、タッチパネル３０４を用いて該キーワードを選択して入力する（ステップＳ１）。
【００５０】
キーワードが入力されるとＣＰＵ３１１は、情報提供装置２から過去に取得しＳＤＲＡＭ３１３に保存しておいた参照情報の中から、今回入力されたキーワードに対応する参照情報を検索する（ステップＳ２）。
【００５１】
検索した結果、ＳＤＲＡＭ３１３の中に、今回入力されたキーワードに対応する参照情報が保存されていない場合（ステップＳ３；Ｎｏ）、ＣＰＵ３１１は、キーワードを通信部３１４を介して情報提供装置２に送信する（ステップＳ４）。
【００５２】
情報提供装置２の参照情報検索部２１１は、情報検索端末装置３から送信されたキーワードを通信部２０４を介して受信すると、受信したキーワードに基づいて、該キーワードに対応する参照情報を外部の情報検索サーバより取得する（ステップＳ５）。
【００５３】
参照情報加工部２１２は、参照情報検索部２１１で取得された参照情報より必要な情報のみを取出し、情報検索端末装置３の表示部３０１の表示サイズに合わせて加工する（ステップＳ６）。参照情報加工部２１２で加工された参照情報は、通信部２０４を介して、情報検索端末装置３に送信される（ステップＳ７）。
【００５４】
ここで、参照情報加工部２１２で行われる参照情報の加工動作について図５を用いて説明する。図５（ａ）乃至図５（ｄ）は、参照情報加工部２１２で行われる参照情報の加工動作の流れを示す模式図である。
【００５５】
図５（ａ）に示すように、情報提供装置２が外部の情報検索サーバより取得する情報は、Ｗｅｂ情報ＷＪであり、必要とする参照情報Ｍ０の他にバナー広告Ｂ、関連のないＷｅｂへのリンク情報Ｌ等が付加されている。そこで参照情報加工部２１２は、このような不要な情報を削除し、情報検索端末装置３の表示部３０１の表示サイズに適した形態に参照情報Ｍ０を加工する。
【００５６】
最初に、参照情報検索部２１１で取得されたＷｅｂ情報ＷＪより、バナー広告Ｂ、関連のないＷｅｂへのリンク情報Ｌ等を削除する（図５（ｂ））。
【００５７】
次に、参照情報ＭＯの表示サイズを情報検索端末装置３の表示部３０１の表示サイズに合わせて最適化し、参照情報Ｍ１とする（図５（ｃ））。
【００５８】
次に、参照情報Ｍ１に、例えば、キーワードＫの参照情報であることを示す吹き出しを付加して、参照情報Ｍ２とする（図５（ｄ））。
【００５９】
図６に戻って、情報検索端末装置３のＣＰＵ３１１は、情報提供装置２から送信された参照情報を通信部３１４を介して受信すると、受信した参照情報及び参照情報が検索された日時を含む検索履歴情報をＳＤＲＡＭ３１３に保存する（ステップＳ８）とともに、受信した参照情報に基づいてその内容を表示部３０１に表示させる（ステップＳ９）。また、このとき、選択されたキーワードの表示色や表示形態を、例えば、白黒反転表示、太字表示、下線表示等に変更して表示する。
【００６０】
一方、ステップＳ３において、ＳＤＲＡＭ３１３の中に、今回入力されたキーワードに対応する参照情報が保存されている場合（ステップＳ３；Ｙｅｓ）、ＣＰＵ３１１は、該参照情報の検索履歴情報に基づき、参照情報の初回の検索日から今回の検索日までの期間が所定の期間（例えば、１ヶ月）の内であるか否かを判別する。
【００６１】
所定の期間を上回っている場合（ステップＳ１０；Ｎｏ）、この参照情報は、鮮度が乏しく有効性に欠ける恐れがあることから、ＣＰＵ３１１は、ＳＤＲＡＭ３１３に保存されている今回入力されたキーワードに対応する参照情報及びその検索履歴情報を削除する（ステップＳ１１）。
【００６２】
そして、前述のステップＳ４〜Ｓ９と同様の工程を経て、情報提供装置２より新たに参照情報を取得し、ＳＤＲＡＭ３１３に検索履歴情報とともに保存する。また、参照情報に基づいてその内容を表示部３０１に表示させる。
【００６３】
ステップＳ１０において、所定の期間内である場合（ステップＳ１０；Ｙｅｓ）、この参照情報は、新鮮であり有効であると考えられることから、ＣＰＵ３１１は、ＳＤＲＡＭ３１３に保存されている今回入力されたキーワードに対応する参照情報の検索履歴情報を更新する（ステップＳ１１）とともに、該参照情報を読み出し、表示部３０１に表示させる。
【００６４】
このように本発明の実施形態に係る情報検索システム１においては、入力されたキーワードに対応する参照情報が保存部（ＳＤＲＡＭ）３１３に保存されている場合、参照情報検索部（ＣＰＵ）３１１は、該参照情報を保存部３１３より取得し、表示部３０１に表示させる。一方、該参照情報が保存部３１３に保存されていない場合、参照情報検索部（ＣＰＵ）３１１は、キーワードを情報提供装置２に送信し、情報提供装置２で検索されたキーワードに対応する参照情報を情報提供装置２より取得し、保存部３１３に保存するとともに表示部３０１に表示させる構成とした。
【００６５】
すなわち、情報検索端末装置３は、キーワード検索を実行する都度、情報提供装置２との間で通信を行い、いつも情報提供装置２より参照情報を取得するのではなく、参照情報が一度検索され保存部３１３に保存されている場合は、保存部３１３より該参照情報を取得するようにした。これにより、電力消費の大きい装置間の通信をキーワード検索の都度頻繁に行うことなく、所望の情報を取得することができる。その結果、情報検索端末装置２を駆動する電池の消耗を抑え、長時間の使用が可能となる。
【００６６】
また、表示部３０１に表示内容を無電源で保持する機能（メモリ性）を有する電子ペーパを用いるようにしたので、電池の消耗をさらに抑制することができる。
【００６７】
以上、本発明を実施の形態を参照して説明してきたが、本発明は前述の実施の形態に限定して解釈されるべきでなく、適宜変更、改良が可能であることは勿論である。例えば、前述の実施の形態においては、情報提供装置２に参照情報検索部２１１を設けたが、参照情報検索部２１１の代わりに、外部の情報検索機能を有する情報装置と接続する接続部を設けても良い。また、参照情報加工部２１２は、情報提供装置２に設けたが、情報検索端末装置３に設けても良い。また、検索キーワードの有効性を示すために、情報検索端末装置３の稼動中に、検索履歴情報の保存期間が予め設定されている期間を過ぎている場合は、保存情報の削除、及びキーワードの表示色や表示形態を元に戻すようにしても良い。
【図面の簡単な説明】
【００６８】
【図１】本発明の実施形態に係る情報検索システムの概略構成図である。
【図２】参照情報の表示例を示す模式図である。
【図３】情報検索システムの要部機能構成図である。
【図４】情報検索端末装置の電気回路ブロック構成図である。
【図５】参照情報の加工方法を示す模式図である。
【図６】参照情報表示動作の流れを示すフローチャートである。
【符号の説明】
【００６９】
１  情報検索システム
２  情報提供装置（コンピュータ）
２０１  キーボード
２０２  モニタ
２０３  コンピュータ本体
２０４  通信部
２１１  参照情報検索部
２１２  参照情報加工部
３  情報検索端末装置
３０１  表示部
３０２  表示制御部
３０３  ＶＲＡＭ
３０４  キーワード入力部（タッチパネル）
３０５  タッチパネル監視部
３１１  参照情報検索部（ＣＰＵ）
３１２  ＦｌａｓｈＲＯＭ
３１３  保存部（ＳＤＲＡＭ）
３１４  通信部（ワイヤレスＵＳＢ、Ｂｌｕｅｔｏｏｔｈ）
３１５  外部Ｉ／Ｆ
３１７  操作部
３１８  電源スイッチ
３１９  十字キー
３２１  電池
【図１】
2009059266.tif 000003
【図２】
2009059266.tif 000004
【図３】
2009059266.tif 000005
【図４】
2009059266.tif 000006
【図５】
2009059266.tif 000007
【図６】
2009059266.tif 000008